(57)【要約】【課題】撮影環境の影響を受けずに自由にカメラでの撮影を行うことができるカメラ位置調整装置を提供する。【解決手段】カメラ位置調整装置１は、上下方向に傾動自在にベース１０に配置された第１支持板１２と、前後方向に傾動自在に第１支持板１２に配置された第２支持板１１と、前後方向に傾動自在に第２支持板１１に配置されてカメラを支持する第３支持板１３とを備えている。支持板１１〜１３の傾動機構は、ベース１０に回転自在に支持されて操作部２２，３２，４２を回転操作されると回転する回転軸２１と、回転軸２１，３１，４１に螺着されて支持板１１〜１３に支持され、回転軸２１の回転に伴い雄ネジ部２４と螺合して支持板１１〜１３を押圧し、ベース１０に対して支持板１１〜１３を傾動させるスライドコマ２５，３５，４５とを備えている。【選択図】図１
2010175034.tif 000002
【特許請求の範囲】
【請求項１】
カメラを支持した支持部材をベースに対して傾動させて前記カメラの位置調整を行うカメラ位置調整装置に備えられ、前記ベースに対して前記支持部材を傾動させる支持部材傾動機構であって、前記ベースに回転自在に支持され、操作部を回転操作されて回転する回転操作軸と、前記回転操作軸が備えるネジ部に螺着されて前記支持部材を支持し、前記回転操作軸の回転に伴い、前記支持部材を前記回転操作軸の延伸方向に押圧し、前記ベースに対して前記支持部材を傾動させるネジ部材とを備えることを特徴とする支持部材傾動機構。
【発明の詳細な説明】
【技術分野】
【０００１】
本発明は、カメラを支持した支持部材をベースに対して傾動させてカメラの位置調整を行うカメラ位置調整装置に備えられ、ベースに対して支持部材を傾動させる支持部材傾動機構に関する。
【背景技術】
【０００２】
下記の特許文献１に示すカメラのビルドアップ装置は、ベースに取り付けられたカメラ支持台でカメラを保持する。カメラ支持台は、前後、左右、及び上下方向にカメラを位置調整する移動機構を備えており、移動機構での位置調整により、大型レンズに対するカメラの光軸が調整される。
【先行技術文献】
【特許文献】
【０００３】
【特許文献１】特開２００８−２６１９３４号公報
【発明の概要】
【発明が解決しようとする課題】
【０００４】
この種の移動機構では、カメラ支持台をベースに対して傾動させることで、カメラの位置調整が行われるが、カメラ支持台と一体となってベースに対して傾動する移動機構の移動スペースも周囲に確保しながら撮影を行う必要があり、撮影する環境の影響を受けやすかった。このため、環境の影響を受けずに自由に撮影を行えるカメラ位置調整装置が望まれている。
【０００５】
本発明は斯かる課題に鑑みてなされたもので、上記課題を解決できる支持部材傾動機構を提供することを目的とする。
【課題を解決するための手段】
【０００６】
このような目的を達成するために、本発明の支持部材傾動機構は、カメラを支持した支持部材をベースに対して傾動させて前記カメラの位置調整を行うカメラ位置調整装置に備えられ、前記ベースに対して前記支持部材を傾動させる支持部材傾動機構であって、前記ベースに回転自在に支持され、操作部を回転操作されて回転する回転操作軸と、前記回転操作軸が備えるネジ部に螺着されて前記支持部材を支持し、前記回転操作軸の回転に伴い、前記支持部材を前記回転操作軸の延伸方向に押圧し、前記ベースに対して前記支持部材を傾動させるネジ部材とを備えることを特徴とする。
【発明の効果】
【０００７】
本発明によれば、ベースへの回転操作軸の支持位置を固定したまま、支持部材を傾動させてカメラを位置調整できることから、環境の影響を受けずに自由に撮影を行うことができる。
【図面の簡単な説明】
【０００８】
【図１】本発明の一実施形態のカメラ位置調整装置を示す斜視図である。
【図２】カメラ位置調整装置が備える回転操作部材を示す斜視図である。
【図３】回転操作部材が備える押圧部を示す斜視図である。
【図４】カメラ位置調整装置がカメラの前後方向の位置調整を行う動作を示す図であり、（ａ）は後方の回動限，（ｂ）は前方の回動限まで第２支持板を回動させた状態を示している。
【図５】従来のカメラ位置調整装置がカメラの前後方向の位置調整を行う動作を示す図であり、（ａ）は後方の回動限，（ｂ）は前方の回動限まで第２支持板を回動させた状態を示している。
【発明を実施するための形態】
【０００９】
以下、図面を参照して、本発明の最良の形態について説明する。
図１は、本実施形態のカメラ位置調整装置１を示す斜視図である。図２は、カメラ位置調整装置１が備える回転操作部材２〜４を示す斜視図である。図３は、回転操作部材２〜４が備えるスライドコマ２５，３５，４５を示す斜視図である。なお、以下の説明で用いる上下，前後，及び左右の各方向は説明に用いる各図に示している。この上下，前後，及び左右は説明のために記載したもので、実際の配置と異なってよいことはもちろんである。
【００１０】
カメラ位置調整装置１は、被写体に対するカメラ（光軸）の向きを調整する装置であり、図１に示すように、雲台等に取り付けられるベース１０上に構成されている。カメラ位置調整装置１は、左右に延びてベース１０上に配置された第１支持板１２と、第１支持板１２を上側から覆うように左右に延びて第１支持板１２上に配置された第２支持板１１と、第２支持板１１上に左右に延びて配置されカメラが固定される第３支持板１３とを備えている。
【００１１】
ベース１０の左端部には、第１支持板１２をベース１０に支持するための一対の支持部１０ａが設けられている。支持部１０ａは、ベース１０の前端部及び後端部に向き合って配置されている。支持部１０ａには、第１支持板１２の左端部が上下方向に回転自在に支持される。ベース１０の右端部には、第１支持板１２の右端部を上下方向に移動させるための昇降用枠体１０ｂが設けられている。
【００１２】
昇降用枠体１０ｂは、ベース１０に固定された前後の側板間に右板及び天板を掛け渡して構成されており、左端側を開放させている。昇降用枠体１０ｂには、第１支持板１２の右端部が左端側の開口から収容される。昇降用枠体１０ｂの前後の側板には、それぞれ上下方向に延びるガイド孔１０ｂ１が設けられている。ガイド孔１０ｂ１は、前板及び後板の互いに対向する位置に配置されている。昇降用枠体１０ｂの天板からは、第１支持板１２の右端部を上下動させるための回転操作部材３が上方に延びている。
【００１３】
第１支持板１２は、右端部から前方及び後方に向けてそれぞれスライド軸１２ｂを突出させており、スライド軸１２ｂをガイド孔１０ｂ１に挿通させると共に、左端部を前後の側方から一対の支持部１０ａで回転自在に支持されている。ガイド孔１０ｂ１に挿通されたスライド軸１２ｂは、ガイド孔１０ｂ１の延設方向に向けてスライド自在となっている。第１支持板１２の右端部には、第１支持板１２の右端部を略矩形に切り欠いた形状の切欠部１２ｃが設けられている。切欠部１２ｃには、後述する回転操作部材３の回転軸３１が挿通される。切欠部１２ｃよりも左側に位置する第１支持板１２の右端部には、一対のガイド軸１２ａが設けられている。ガイド軸１２ａは、第１支持板１２の前端部及び後端部の上面から上方に延びており、後述するガイド孔１１ａに挿通される。ガイド軸１２ａの左側に位置する第１支持板１２の前後方向の中央部には、第１支持板１２を上下方向に貫通する貫通孔１２ｄ（図４参照）が設けられている。貫通孔１２ｄは、前後方向に延びる長孔から形成されており、後述する回転操作部材２がスライドコマ２５に備える押圧部２５３が挿通される。
【００１４】
第２支持板１１は、天板の前後の縁部から下方に向けて側板を延出させた概略形状を有しており、第１支持板１２の左端部の上面に突設された支軸１２ｅ（図４参照）で前後方向に回転自在に左端部を第１支持板１２に支持されている。第２支持板１１の天板の右縁部には、一対のガイド孔１１ａが前後に並んで設けられている。ガイド孔１１ａは、第２支持板１１の天板の前端部及び後端部に配置されている。
【００１５】
第２支持板１１が備える天板のガイド孔１１ａよりも左側には、ガイド孔１１ａに代えてガイド軸１２ａを挿通される長孔１１ｂが設けられている。長孔１１ｂは、天板の前後方向の中央部に位置して前後方向に延びている。長孔１１ｂの左側に位置する天板の右端部には、左右方向に延びる支持孔１１ｃが設けられている（図４参照）。第２支持板１１は、天板の前後方向の中央部に位置して、天板を上下方向に貫通している。支持孔１１ｃの前方に位置する第２支持板１１の前板には切欠部が設けられており、この切欠部からは第２支持板１１の右端部を前後動させるための回転操作部材２が前方に延びている。
【００１６】
第３支持板１３は、その上面にカメラを載置されて固定される。第３支持板１３の左端部には、支持孔１３ａが設けられている。支持孔１３ａは、第２支持板１３の前後方向の中央部に位置しており、第３支持板１３を上下方向に貫通している。支持孔１３ａには、後述する回転操作部材４がスライドコマ４５に備える押圧部４５３が挿通される。第３支持板１３の左端部の下側からは、第３支持板１３の左端部を前後動させるための回転操作部材４が前方に延びている。
【００１７】
図２に示すように、第２支持板１１の右端部を前後動させるための回転操作部材２は、円盤状の操作部２２を一端に備えた棒状の回転軸２１と、回転軸２１の雄ネジ部２４に螺着されたスライドコマ２５とを備えている。回転軸２１は、長さ方向の中央部に拡径した雄ネジ部２４を備え、雄ネジ部２４の両側に位置する縮径部分に軸受２３を取り付けられている。
【００１８】
軸受２３は、円筒状を呈した本体２３１の一端にフランジ部２３２を設けて構成されており、本体２３１を雄ネジ部２４側に向けて回転軸２１に取り付けられ、回転軸２１を回転自在に支持する。回転操作部材２は、軸受２３をベース１０に取り付けられ、ベース１０に回転自在に回転軸２１を支持される。
【００１９】
図３に示すように、スライドコマ２５は、円柱状を呈した本体２５１の一端面に本体２５１より小さな円柱状の押圧部２５３を備えた概略形状を有している。本体２５１には、その軸心と交叉して延びて本体２５１を貫通したネジ孔２５２が設けられている。スライドコマ２５は、ネジ孔２５２を雄ネジ部２４に螺着させて回転軸２１に取り付けられ、押圧部２５３を支持孔１１ｃ内に挿入される。
【００２０】
スライドコマ２５は、回転軸２１の周方向への押圧部２５３の移動を支持孔１１ｃの左右の内側面で規制されることで、回転軸２１の回転に伴い回転軸２１の延伸方向にスライド動作して支持孔１１ｃの前後の内側面を押圧部２５３で押圧する。第２支持板１１は、スライドコマ２５の押圧部２５３によりスライドコマ２５のスライド方向に押圧されて、右端部を前後動させる。
【００２１】
図２及び図３に示すように、第１支持板１２の右端部を上下動させるための回転操作部材３は、回転操作部材２と同様の構成を有しており、回転軸３１を回転自在に支持した軸受３３がベース１０に取り付けられ、スライドコマ３５の押圧部３５３が第１支持板１２に支持されている。回転操作部材３は、操作部３２が回転操作されると、スライドコマ３５の押圧部３５３で第１支持板１２を雄ネジ部３４との螺合に伴うスライドコマ３５のスライド方向に押し出し、第１支持板１２の右端部を上下動させる。
【００２２】
図２及び図３に示すように、第３支持板１３の左端部を前後動させるための回転操作部材４は、回転操作部材２と同様の構成を有しており、回転軸４１を回転自在に支持した軸受４３がベース１０に取り付けられ、スライドコマ４５の押圧部４５３が第３支持板１３に支持されている。図示しないが、ベース１０には、第１支持板１２及び第２支持板１１を貫通して、第２支持板１１と第３支持板１３との間で軸受４３を支持する支持部が設けられている。回転操作部材４は、操作部４２が回転操作されると、スライドコマ４５の押圧部４５３で第３支持板１３を雄ネジ部４４との螺合に伴うスライドコマ４５のスライド方向に押し出し、第３支持板１３の左端部を前後動させる。
【００２３】
このようにして構成されるカメラ位置調整装置１により、第３支持板１３に固定されたカメラの位置調整を行う動作について説明する。図４は、カメラ位置調整装置１がカメラの前後方向の位置調整を行う動作を示す図であり、（ａ）は後方の回動限，（ｂ）は前方の回動限まで第２支持板１１を回動させた状態を示している。
【００２４】
回転操作部材２の操作部２２が一方向に回転操作されると、回転軸２１が操作方向に回転し、雄ネジ部２４に螺着されたスライドコマ２５が支持孔１１ｃの後側内面を押圧部２５３で押圧する。この押圧力を受けた第２支持板１１は、支軸１２ｅを支点として右端側を後方に回動させる。第２支持板１１上に配置された第３支持板１３は、第２支持板１１と一体となって右端側を後方に回動させる。これにより、第３支持板１３に支持されたカメラは、右端側を後方に移動させて、光軸を右方に傾ける。
【００２５】
操作部２２が逆方向に回転操作されて回転軸２１が操作方向に回転すると、雄ネジ部２４に螺着されたスライドコマ２５が支持孔１１ｃの前側内面を押圧部２５３で押圧し、第２支持板１１の右端側を支軸１２ｅを支点として前方に回動させる。これにより、第３支持板１３が第２支持板１１と一体となって右端側を前方に回動させて、カメラの右端側を前方に移動させ、カメラの光軸を左方に傾ける。
【００２６】
同様に、回転操作部材３の操作部３２，回転操作部材４の操作部４２が一方向に回転操作されると、スライドコマ３５，４５の押圧部３５３，４５３で支持板１１，１３を回動させて、カメラの光軸を上下又は左右方向に傾ける。回転操作部材３〜５の操作量を調節することで、被写体に対するカメラの位置が調整される。
【００２７】
本実施形態によれば、操作部２２の操作で回転軸２１を回転させると、ベース１０，第２支持板１１，又は第１支持板１２に支持されたスライドコマ２５，３５，４５が雄ネジ部２４，３４，４４と螺合して支持板１１〜１３を押圧し、支持板１１〜１３をベース１０に対して傾動させる。このため、回転操作部材２〜４のベース１０への支持位置を固定したまま、ベース１０に対する支持板１１〜１３の傾動を行わせることができる。従って、回転操作部材２〜４の移動スペースを考慮することなく支持板１１〜１３の傾動機構を構成できる。この結果、撮影環境の影響を受けずに自由にカメラでの撮影を行うことができる。
【００２８】
例えば、回転操作部材２を第２支持板１１に、回転操作部材３を第１支持板１２に、回転操作部材４を第３支持板１３にそれぞれ回転自在に支持したり、また、回転操作部材２をベース１０の備えるネジ部に，回転操作部材３を第２支持板１１の備えるネジ部に，回転操作部材４を第１支持板１２の備えるネジ部にそれぞれ螺合させることで、回転操作部材２〜４の操作により支持板１１〜１３をベース１０に対して傾動させる場合には、支持板１１〜１３の傾動に伴い回転操作部材２〜４もベース１０に対して傾動することとなる。
【００２９】
図５に示すカメラ位置調整装置１０のように、回転操作部材２の回転軸２１をベース１０のネジ部に螺合させて、第２支持板１１の右端部を前後動させる構成の場合には、図５（ａ）に示すように第２支持板１１を後方に傾動させると回転操作部材２も後方に移動し、図５（ｂ）に示すように第２支持板１１を前方に傾動させると回転操作部材２も前方に移動することとなり、回転操作部材２の移動スペースを考慮して撮影する必要がある。これに対して、カメラ位置調整装置１では、回転操作部材２の移動スペースを考慮することなく撮影を行える。
【００３０】
なお、上記実施形態では、カメラ位置調整装置１が第２支持板１１，第１支持板１２，第３支持板１３を備えており、これら支持板１１〜１３がベース１０に対して一端側を回動させることでカメラの位置調整を行う場合について説明した。しかしながら、カメラ位置調整装置１は、必ずしも３つの支持板１１〜１３を備えている必要はなく、例えば、第１支持板１２のみを備える構成としてもよい。
【００３１】
以上、本発明の実施形態について説明したが、本発明の実施態様としては、以下のものを挙げることができる。
実施態様１の支持部材傾動機構は、カメラを支持した支持部材をベースに対して傾動させて前記カメラの位置調整を行うカメラ位置調整装置に備えられ、前記ベースに対して前記支持部材を傾動させる支持部材傾動機構であって、前記ベースに回転自在に支持され、操作部を回転操作されて回転する回転操作軸と、前記回転操作軸が備えるネジ部に螺着されて前記支持部材を支持し、前記回転操作軸の回転に伴い、前記支持部材を前記回転操作軸の延伸方向に押圧し、前記ベースに対して前記支持部材を傾動させるネジ部材とを備えることを特徴とする。
また、実施態様２のカメラ位置調整装置は、ベースに対して一方向に傾動自在に前記ベースに配置された第１の支持板と、前記ベースに対して前記一方向と交差する他方向に傾動自在に前記第１の支持板に配置された第２の支持板と、前記ベースに対して前記一方向又は前記他方向に傾動自在に前記第２の支持板に配置されてカメラを支持する第３の支持板とを備えたカメラ位置調整装置であって、前記１の支持板、前記第２の支持板、及び前記第３の支持板を、上記支持部材傾動機構を用いて傾動させることを特徴とする。
【符号の説明】
【００３２】
１              カメラ位置調整装置
２〜４          回転操作部材
１０            ベース
１０ｂ          昇降用枠体
１０ｂ１        ガイド孔
１１            第２支持板
１１ａ          ガイド孔
１１ｃ          支持孔
１２            第１支持板
１２ａ          ガイド軸
１２ｂ          スライド軸
１２ｄ          貫通孔
１２ｅ          支軸
１３            第３支持板
１３ａ          支持孔
２１            回転軸
２２            操作部
２３            軸受
２４            雄ネジ部
２５，３５，４５      スライドコマ
２５１          本体
２５２          ネジ孔
２５３          押圧部
【図１】
2010175034.tif 000003
【図２】
2010175034.tif 000004
【図３】
2010175034.tif 000005
【図４】
2010175034.tif 000006
【図５】
2010175034.tif 000007